(57)【要約】【課題】壁パネルの取付時における位置決めの基準点を明確とし、位置決め作業に要する手間と時間を低減させる。【解決手段】ロッキング機構は、壁パネル１と、上下梁２ａと、上下梁２ａの外壁寄り位置に起立した起立片３ａと、下梁２ａの起立片３ａに揺動可能な状態で掛止されて壁パネル１の下部を支持する支持金物８と、上梁２ａの起立片３ａに掛止されて壁パネル１の上部を吊り支持する掛止部材６と、からなる。上下梁２ａの起立片３ａには、建物の平面モジュールに基づくピッチで掛止溝３ｂが形成され、掛止部材３ｂは、当該壁パネル１に連続して取り付けられる上階の壁パネル１を支持する支持金物８との干渉を避ける位置から突出し起立片３ａの掛止溝３ｂに対応した形状を有する掛止片６ａを備え、該掛止片６ａを介して起立片３ａに位置決めされた状態で掛止される。【選択図】図１
2010159592.tif 000002
【特許請求の範囲】
【請求項１】
鉄骨造建物へのロッキング機構を有する壁パネルの取付構造であって、
前記ロッキング機構は、
前記建物の平面モジュールに基づく幅を有する壁パネルと、
前記建物の外壁に沿った位置に配置された上下梁と、
前記上下梁の前記外壁寄り位置に起立した起立片と、
前記壁パネルの下端付近の裏面略中央に取り付けられ、且つ前記下梁の起立片に揺動可能な状態で掛止されて前記壁パネルの下部を支持する支持金物と、
前記壁パネルの上端付近の裏面略中央に回動可能に取り付けられ、且つ前記上梁の起立片に掛止されて前記壁パネルの上部を吊り支持する掛止部材と、からなり、
前記上下梁の起立片には、前記建物の平面モジュールに基づくピッチで掛止溝が形成され、
前記掛止部材は、当該壁パネルに連続して取り付けられる上階の壁パネルを支持する支持金物との干渉を避ける位置から突出し前記起立片の掛止溝に対応した形状を有する掛止片を備え、該掛止片を介して前記起立片に位置決めされた状態で掛止されることを特徴とする壁パネルの取付構造。
【請求項２】
前記掛止部材が前記掛止片を複数備える、請求項１に記載の壁パネルの取付構造。
【請求項３】
前記支持金物に、前記複数の掛止片の間の位置にて前記起立片を挟み込んで当該支持金物を前記起立片に掛止させる挟持片が形成されている、請求項２に記載の壁パネルの取付構造。
【請求項４】
当該鉄骨造建物の最下階における前記下梁は建物の基礎からなる、請求項１から３のいずれか一項に記載の壁パネルの取付構造。
【発明の詳細な説明】
【技術分野】
【０００１】
本発明は、壁パネルの取付構造に関する。さらに詳述すると、本発明は、コンクリート系材料からなる壁パネルを取り付けて外壁を構成する鉄骨造建物における当該壁パネルの取付構造の改良に関する。
【背景技術】
【０００２】
従来、躯体にＡＬＣ（Autoclaved Light-weight Concrete；軽量気泡コンクリート）等のコンクリート系材料からなる壁パネルを取り付けて外壁を構成する鉄骨造建物においては、地震時の躯体の層間変形に応じて壁パネルが傾く、いわゆるロッキング機構を備えた壁パネルが利用されている（例えば特許文献１，２参照）。このような構成にすると、建物が変形しても壁パネルの固定部分に有害な力が作用して固定部分が破壊され、壁パネルが脱落することがない。
【０００３】
ここで、特に図示はしないが、従来の壁パネルの取付構造の一例を説明すると以下のとおりである。
【０００４】
鉄骨造建物の上下階には壁パネルを取り付けるべき鉄骨梁（最下階にあっては基礎）があり、鉄骨梁（最下階にあっては基礎）の天端には、壁パネルを整然と並べ付けるときの定規となる位置決めアングルが取り付けられている。壁パネルは、この位置決めアングルに、下部は金具（以下、自重受け金具という）、上部は例えば板状の金具（以下、短冊プレートという）を介して固定される。
【０００５】
このような壁パネルと自重受け金具、および壁パネルと短冊プレートとのそれぞれの固定部位においては、両部位とも壁パネルを幅方向に貫通するアンカー鋼棒と、アンカー鋼棒にそのリング部分を貫かれたＯボルトとによって、下部は自重受け金具のボルト溝に、上部は短冊プレートのボルト孔に固定されている。
【０００６】
Ｏボルトは、梁間（階高）によって位置が拘束されているが、自重受け金具や短冊プレートとの接点は回動可能であるため、例えば地震等によって上下の梁位置が水平方向に動いたとしても、その地震力を回動することによって逃がし、壁を損傷させないようになっている。なお、壁の裏側にＯボルトが突出するのを避ける場合にはＯナットを代用することもある。
【０００７】
次に、壁パネルの上下階への取付け方を説明する。まず、下階のＡＬＣ壁パネルの上部を固定する短冊プレートは、上階のＡＬＣ壁パネルを受ける位置決めアングルに、所定位置にあることが確認されたうえで溶接される。
【０００８】
上階の壁パネルを受ける自重受け金具は、短冊プレートと位置決めアングルを同時に挟み付けるように上から差し込まれる。上述のように短冊プレートは溶接されているので、位置決めアングル上を自重受け金具が滑って水平に移動することはない。
【先行技術文献】
【特許文献】
【０００９】
【特許文献１】実開昭６１−９５８０７号公報
【特許文献２】特開平１−１５８１４４号公報
【発明の概要】
【発明が解決しようとする課題】
【００１０】
しかしながら、上記のごとき壁パネルの取付構造においては、位置決めの基準点が明確でなく、位置決め作業に手間と時間を要するという問題がある。
【００１１】
そこで、本発明は、位置決めの基準点が明確であり、位置決め作業に要する手間と時間を低減することが可能な壁パネルの取付構造を提供することを目的とする。
【課題を解決するための手段】
【００１２】
かかる課題を解決するべく、本発明者は従来の取付構造における特徴点について種々の検討を行った。まず、位置決めアングルと短冊プレートが溶接接合であるために、火気を制限された現場では建設作業が難しいことが挙げられる。この点、安易にボルト接合を用いようとすると、ボルトの頭やナット部が邪魔になり、ＡＬＣ壁パネルを削る等が必要となり工事内容が複雑化する。
【００１３】
また、ボルト接合のみによる壁パネルの取付構造を構成しようとすれば、当該壁パネルの内側にフェノールフォーム等の断熱気密層を構成しようとしたときにボルトやナットとの干渉が増えることが避け難い。
【００１４】
これら特徴についてさらに検討を重ねた本発明者は、課題の解決に結び付く新たな知見を得るに至った。本発明はかかる知見に基づくものであり、鉄骨造建物へのロッキング機構を有する壁パネルの取付構造であって、ロッキング機構は、建物の平面モジュールに基づく幅を有する壁パネルと、建物の外壁に沿った位置に配置された上下梁と、上下梁の外壁寄り位置に起立した起立片と、壁パネルの下端付近の裏面略中央に取り付けられ、且つ下梁の起立片に揺動可能な状態で掛止されて壁パネルの下部を支持する支持金物と、壁パネルの上端付近の裏面略中央に回動可能に取り付けられ、且つ上梁の起立片に掛止されて壁パネルの上部を吊り支持する掛止部材と、からなり、上下梁の起立片には、建物の平面モジュールに基づくピッチで掛止溝が形成され、掛止部材は、当該壁パネルに連続して取り付けられる上階の壁パネルを支持する支持金物との干渉を避ける位置から突出し起立片の掛止溝に対応した形状を有する掛止片を備え、該掛止片を介して起立片に位置決めされた状態で掛止されるというものである。
【００１５】
この取付構造においては、掛止部材が上梁の起立片に掛止された状態とする際、建物の平面モジュールに基づくピッチで形成されている掛止溝に掛止部材の掛止片を係合させることにより位置決め状態とすることができる。これによれば簡易に壁パネルを正確な位置に配置することができ、躯体の施工精度が向上するとともに位置決めに要する手間と時間を低減することが可能となる。
【００１６】
また、掛止片を掛止溝に係合させることによって掛止部材を上梁の起立片に掛止させた状態とすることができるため、パネル取付の際の溶接作業を不要とすることができる。このため、火気が制限される現場での建設作業を可能とし、あるいは実施しやすくすることができる。
【００１７】
さらに、本発明にかかる取付構造においては、掛止部材の掛止片が、支持金物との干渉を避ける位置から突出している。このような構造により、壁パネルや断熱気密層などとの干渉を回避しやすくすることが可能である。
【００１８】
本発明にかかる壁パネルの取付構造においては、掛止部材が掛止片を複数備えることが好ましい。例えば掛止片が２箇所に設けられている場合、掛止部材を逆二股形状に形成すれば、支持金物の位置を当該二股の間隔によって規定し、地震時などにおいて横ずれするのを抑止することが可能である。
【００１９】
また、支持金物に、複数の掛止片の間の位置にて起立片を挟み込んで当該支持金物を起立片に掛止させる挟持片が形成されていることも好ましい。この構造の場合、複数の掛止片（または掛止片が設けられている部位）をストッパとして機能させ、挟持片ひいては支持金物の位置を規定することができる。
【００２０】
さらに、本発明にかかる取付構造において、当該鉄骨造建物の最下階における下梁は建物の基礎からなる。
【発明の効果】
【００２１】
本発明によれば、壁パネルの取付時における位置決めの基準点が明確となり、位置決め作業に要する手間と時間を低減することが可能となる。
【図面の簡単な説明】
【００２２】
【図１】本発明の一実施形態における壁パネルの取付構造を拡大して示す斜視図である。
【図２】壁パネルの全体およびこれが取り付けられる鉄骨梁（上下梁）を示す斜視図である。
【図３】図２における壁パネルの取付構造を拡大して示す斜視図である。
【図４】壁パネルの取付構造を示す断面図である。
【発明を実施するための形態】
【００２３】
以下、本発明の構成を図面に示す実施の形態の一例に基づいて詳細に説明する。
【００２４】
図１〜図４に本発明にかかる壁パネルの取付構造の実施形態を示す。この壁パネル１の取付構造は、例えばコンクリート系材料からなる壁パネル１を取り付けて外壁Ａを構成する鉄骨造建物などに適用されるものである。本実施形態の壁パネル１の取付構造は、ロッキング工法と同様の方法で壁パネル１を鉄骨造建物の躯体２に取り付け、且つ隣接する壁パネル１を縦目地１１を介して連結することで、１階層に対応する複数の壁パネル１を一体化させている。
【００２５】
なお、本発明が適用される建物は、コンクリート製の壁パネル１からなる外壁を有する鉄骨ラーメン造のものであれば特に限定されることはないが、具体例を例示すれば以下のとおりである。すなわち、３０５ｍｍの平面モジュールを有する３層の鉄骨ラーメン造の工業化住宅であり、各階の階高（梁上端から上層の梁上端までの寸法）は２８６０ｍｍに統一されている。また、角形鋼管からなる柱１４、継手１３、Ｈ形鋼からなる鉄骨梁２ａを高力ボルト接合してラーメン構造の架構が構成されている。床はモジュールに基づく幅（６１０ｍｍ、３０５ｍｍ）と長さ（６１０〜１８３０ｍｍ）を有するＡＬＣ（Autoclaved Light-weight Concrete）の床パネルにて構成されており、この床パネルは、短辺２辺を梁（または梁に支持された小梁）で支持されている。外壁Ａはモジュールに基づく幅（６１０ｍｍ、３０５ｍｍ）を有するＡＬＣの壁パネル１にて構成されている。梁のフランジ部分やウェブ部分にはモジュールに基づくピッチで小梁、外壁パネル取付用のアングル等をボルトで固定するための孔が穿たれている。
【００２６】
以下では、位置決めの基準点を明確にして位置決め作業に要する手間と時間を低減させるようにした壁パネル１の取付構造を、平部（出隅部以外の部分）に適用した場合を例示しつつ説明する（図１〜図４参照）。
【００２７】
躯体２は、各階に水平に設置された鉄骨梁（上下梁）２ａ等を含む。例えば本実施形態における各階の上下梁は、Ｈ形鋼からなる鉄骨梁２ａにより構成されている（図２等参照）。また、Ｈ形鋼からなる鉄骨梁２ａの例えば上面には、ボルト１０ａおよびナット１０ｂあるいは工場溶接によって定規アングル３が固着されている（図１参照）。
【００２８】
定規アングル３は、引っ掛けプレート６および自重受け金具８が取り付けられるものであり、当該鉄骨造建物における外壁Ａを構成する壁パネル１の厚さ方向及び幅方向の位置を規定する機能を有する。定規アングル３の、当該定規アングル３に取り付けられる壁パネル１の幅方向中央に対応する位置には、外壁Ａを構成する壁パネル１と同数の引っ掛けプレート６および自重受け金具８が配置される。さらに、定規アングル３の起立片３ａが鉄骨梁２ａよりも外壁Ａ寄りの位置に起立した状態となるように当該定規アングル３は鉄骨梁２ａに固着されている。また、建物の平面モジュールに基づく幅に設定されている壁パネル１に対応し、起立片３ａには複数の掛止溝３ｂが平面モジュールに基づくピッチ（本実施例では平面モジュールの２分の１である１５２．５ｍｍ）で形成されている（図１、図３参照）。また、鉄骨梁２ａと柱１４との接合部で鉄骨梁２ａが分割されるのに対応して定規アングル３も分割されるが、起立片３ａは柱１４の外側にも延伸させてほぼ隙間なく連続するように構成され、掛止溝３ｂも等ピッチで連続するように構成されている。（図２参照）。なお、掛止溝３ｂは、各長ボルト６ａの左右方向の位置合わせを行いやすくするという点では、図に示すようにＶ字形状など上側が広がった形に形成されていることが好ましい。
【００２９】
壁パネル１は、建物の平面モジュールに基づく幅に設定されているもので、下端付近の中央で躯体２に取り付けられ、尚かつ上端付近の中央で躯体２に対して回動可能に支持される。また、隣接する壁パネル１の間に形成された縦目地１１に充填されるシール材を介して隣接する壁パネル１を連結することにより、外壁Ａが構成されている。隣接する壁パネル１どうしで互いに幅を変えることもできる（図２参照）。
【００３０】
壁パネル１としては特に限定するものではなく、建物の外壁Ａを構成し得る壁パネル、例えば押出成形版，ＡＬＣ板等の壁パネルを選択的に用いることが可能である。なお、本実施形態では壁パネル１としてＡＬＣ板を用いている。
【００３１】
この壁パネル１の側面１ａは、その隅部が長手方向の全長に亘って面取りされ、更に表面側にはシール材を充填する為の欠き込み部（シーリングポケット）が形成された構成となっている（図３参照）。壁パネル１を躯体２に取り付ける際には、隣接する壁パネル１の側面１ａどうしを対向させて縦目地１１を構成する。
【００３２】
壁パネル１の下端側の小口面１ｃから予め設定された距離離隔した位置には、幅方向に貫通した下アンカー孔１ｅ、および当該壁パネル１の裏面からこの下アンカー孔１ｅへと連通するように厚さ方向に延びる下アンカーナット孔１ｇが形成されている。また、壁パネル１の上端側の小口面１ｄから予め設定された距離離隔した位置には、幅方向に貫通した上アンカー孔１ｆ、および当該壁パネル１の裏面からこの上アンカー孔１ｆへと連通するように厚さ方向に延びる上アンカーナット孔１ｈが形成されている（図１等参照）。
【００３３】
下アンカー孔１ｅ、上アンカー孔１ｆにはアンカー鋼棒５ａ，５ｂが挿通される。また、壁パネル１の厚さ方向に形成された下アンカーナット孔１ｇ、上アンカーナット孔１ｈには、当該壁パネル１の裏面からアンカーナット４ａ，４ｂが挿通される（図１等参照）。これらアンカーナット４ａ，４ｂは、該アンカーナット４ａ，４ｂのリング部にアンカー鋼棒５ａ，５ｂが挿通されることで壁パネル１内に埋設された状態となっている。なお、アンカーナットとは、円筒状をなし、内面側に雌ねじが切られ、一端側の側面にはアンカー鋼棒を挿通する為の貫通孔が穿設されたものである。
【００３４】
引っ掛けプレート６は、壁パネル１の上端側の小口面１ｄ付近の裏面且つ幅方向中央に回動可能に取り付けられ、且つ定規アングル３の起立片３ａに掛止されて壁パネル１の上部を吊り支持する板状の部材である。本実施形態の引っ掛けプレート６は、自重受け金具（支持金物）８との干渉を避ける位置から突出する長ボルト６ａを備え、該長ボルト６ａを介して、定規アングル３の掛止溝３ｂに位置決めされた状態で掛止される。本実施形態では、引っ掛けプレート６の上方左右の対称位置にそれぞれ１本ずつ計２本の長ボルト６ａを設けている。これら長ボルト６ａは、上述した定規アングル３の掛止溝３ｂにがたつくことなく収まる径を有するものであり、プレート面に直交する状態で溶接されており、例えば座金９ｂを介してナット９ａが締結されることにより当該引っ掛けプレート６に固定される（図１、図３参照）。左右対称に配置された２本の長ボルト６ａは、起立片３ａの掛止溝３ｂのピッチに対応した間隔（本実施例では１５２．５ｍｍ）を有して形成されている。
【００３５】
また、本実施形態の引っ掛けプレート６は、両長ボルト６ａの間が下方に凹んだいわば逆二股形状に形成されている（図１等参照）。この凹部６ｃの幅は後述する自重受け金具８の挟持片８ｃの幅に合わせて規定されており、挟持片８ｃが起立片３ａに設けられた際、当該凹部６ｃの両壁がいわばストッパとして機能し、当該自重受け金具８の横方向（幅方向）の位置を規定する。これによれば、上階の壁パネル１が、例えば地震の際に横ずれするのが防止される。
【００３６】
さらに、本実施形態の引っ掛けプレート６の下部は下向きに窄まる先細り形状であり、当該下部付近に透孔６ｂが設けられている。この透孔６ｂには、先端ねじ部がアンカーナット４ｂに螺合するボルト７ｂが緩み止めプレート７ｄを介して挿通される（図１参照）。これにより、引っ掛けプレート６は、壁パネル１に対して回動可能な状態で支持される。このように回動可能に支持された状態で、この引っ掛けプレート６は、壁パネル１の上端側の小口面１ｄから少なくとも長ボルト６ａを含む所定部位が突出しうる程度の大きさと形状に形成されている（図３等参照）。
【００３７】
緩み止めプレート７ｄは、引っ掛けプレート６とボルト７ｂの頭部との間に介装される板状の部材であり、引っ掛けプレート６とボルト７ｂの頭部とが直接当接しないようにすることで、壁パネル１に対して引っ掛けプレート６が回動可能な状態で取り付けられうるようにしている。この緩み止めプレート７ｄは、下側片が曲折しており、当該曲折片が壁パネル１に若干めり込んだ状態となる（図１、図４参照）。このため、例えば地震時に躯体２が層間変形してロッキング機構の作用により壁パネル１が傾いた場合、緩み止めプレート７ｄは、当該壁パネル１の動きに追従し、引っ掛けプレート６の相対的な回動動作には追従しない。このように、壁パネル１との摩擦力を得た形状である本実施形態の緩み止めプレート７ｄは、ボルト７ｂの緩みを抑止し、当該ボルト７ｂとアンカーナット４ｂとの相対位置を保つように作用する。
【００３８】
自重受け金具（支持金物）８は、壁パネル１の下端付近の裏面中央に取り付けられ、定規アングル３に掛止されて壁パネル１の下端部を支持する部材である。本実施形態の自重受け金具８は、壁パネル１の底面（小口面１ｃ）を支持する載置片８ａと、壁パネル１の裏面に沿った平板状の本体８ｂとから略Ｌ字状に形成されている。また、本体８ｂにはフラップ状の挟持片８ｃが形成されている（図１等参照）。さらに、自重受け金具８の上端部付近には透孔８ｄが設けられている。この透孔８ｄには、先端ねじ部がアンカーナット４ａに螺合するボルト７ａが座金７ｃを介して挿通される（図１参照）。
【００３９】
自重受け金具８の本体８ｂと挟持片８ｃは、引っ掛けプレート６の凹部６ｃにおいて、定規アングル３の起立片３ａを挟み込み、当該自重受け金具８を当該定規アングル３に掛止させるように形成されている。このように定規アングル３の起立片３ａを本体８ｂと挟持片８ｃによって挟み込む本実施形態の取付構造においては、現場溶接せずとも、当該引っ掛けプレート６を定規アングル３に掛止させた状態とすることが可能となっている。しかも、本実施形態の場合には、壁パネル１を上から下へとスライドさせ、定規アングル３の起立片３ａを本体８ｂと挟持片８ｃで上から挟み込むようにすれば取付動作が完了する。かかる取付動作においては挟持片８ｃひいては自重受け金具８の横方向（壁パネル１の幅方向）の位置決めの基準点が明確であるうえ、位置決め作業に要する手間と時間が少なくて済む。また、上述したように本実施形態の挟持片８ｃは引っ掛けプレート６の凹部６ｃに引っ掛かるから、自重受け金具８の横方向（幅方向）の位置が規定される。なお、地震時等に躯体２が層間変形した場合、横方向の力を受けた自重受け金具８は、起立片３ａに引っ掛かっている部分を中心として左右に傾くように、換言すれば起立片３ａに掛止している挟持片３ａの両側が壁パネル１ともに交互に持ち上がるように揺れる動きをすることができる。このように、本実施形態の自重受け金具８は、起立片３ａに掛止されて壁パネル１を揺動可能に支持した状態となっている。
【００４０】
次に、壁パネル１の躯体２に対する取付手順について説明する。なお、便宜的に下階の壁面を構成する壁パネル１は既に躯体２に固定されているものとして、該壁パネル１の上端側および上階の壁パネル１の下端側を躯体２に取り付ける場合について説明する（図２、図４等参照）。ちなみに、下階に配置された壁パネル１の上端側裏面中央には、上述したように引っ掛けプレート６がアンカーナット４ｂやボルト７ｂによって回動可能な状態で取り付けられている。この引っ掛けプレート６は、長ボルト６ａを定規アングル３の起立片３ａの掛止溝３ｂに引っ掛け、各長ボルト６ａにナット９ａをねじ込むことにより起立片３ａに固定されている（図１等参照）。
【００４１】
ここで、前出の壁パネル１の上階に別の壁パネル１を取り付ける。上階に配置される壁パネル１の下端側中央には、予め、自重受け金具８がアンカーナット４ａやボルト７ａによって取り付けられている。壁パネル１の下端側の小口面１ｃは、自重受け金具８の載置片８ａ上に載置された状態となっている。このように載置片８ａで壁パネル１を支持することにより、自重受け金具８は壁パネル１をより安定した状態で支持することができる。なお、図示省略した上端側裏面中央には、下階の外壁パネル１と同様に予め引っ掛けプレートが回動可能な状態で取り付けられている。
【００４２】
このような自重受け金具８及び引っ掛けプレートを取り付けた状態の壁パネル１を、クレーン等の揚重装置で吊り上げ取付位置上方まで移動させる。そして、作業者が自重受け金具８の挟持片８ｃの位置を上述した下階の壁パネル１の引っ掛けプレート６の凹部６ｃの位置に一致するように微調整しながら、壁パネル１を徐々に降下させ、本体８ｂと挟持片８ｃによって定規アングル３の起立片３ａを挟み込む（図１等参照）。本体８ｂと当該本体８ｂにフラップ状に形成されている挟持片８ｃは、当該起立片３ａを挟み込んだ状態で定規アングル３に掛止した状態となる。
【００４３】
そして、当該パネル１の上端側の引っ掛けプレート（図１等で図示省略）を躯体２に取り付けることによって、当該パネル１は躯体２に対し上下方向に移動しない状態となり、自重受け金具８は起立片３ａから外れなくなる。
【００４４】
また、上述したように、引っ掛けプレート６の凹部６ｃの幅は自重受け金具８の挟持片８ｃの幅に合わせて規定されている。このため、この凹部６ｃにおいて起立片３ａを挟み込むことによって自重受け金具８の位置決めがなされ、壁パネル１が横方向（壁パネル１の面に沿った水平方向）にずれることがない。
【００４５】
上記の如くして、複数の壁パネル１を左右方向に隣接させて躯体２に取り付け、更にその上階において同様の手順を繰り返すことで、建物の壁面を構成することが可能である。
【００４６】
そして、隣接する壁パネル１どうしの接する目地１１が、左右方向に配置された壁パネル１の間には縦目地として、上下方向に配置された壁パネル１の間には横目地としてそれぞれ形成されている（図４参照）。目地１１には適宜バックアップ材を挿入した上で湿式のシール材が充填され、更に目地１１を含む壁面に吹付け塗装を施して壁面の防水層が形成される。なお、目地１１には乾式のガスケットを充填して防水性を確保してもよい。また、目地１１に隙間が形成されている場合、該目地１１は耐火性能上の弱点となりうるので、耐火目地によって耐火補強されていることが好ましい。
【００４７】
以上の手順により躯体２に取り付けられた壁パネル１は、その上端付近の中央を引っ掛けプレート６やボルト７ｂにより回動可能に支持されている。また、壁パネル１は、その下端付近の中央を、起立片３ａに対して掛止される自重受け金具８により揺動可能に支持されている。これにより、躯体２の層間変形に応じて壁パネル１が傾くことが可能なロッキング機構が構成されている。このため、地震時等に躯体２が層間変形した場合には、その層間変形に応じて壁パネル１が傾くことによって、当該壁パネル１の固定部分に有害な力が作用して固定部分が破壊されたり壁パネル１自体が脱落したりすることが抑えられる。
【００４８】
また、一般に、壁パネル１の内面に沿ってフェノールフォーム等の板状に成形された断熱材１２を配置する場合、建物の室内側への突出部位が多いほど、また大きいほど断熱工事が施工し難くなり、当該断熱材１２の表裏いずれかで実施する気密工事も困難になるという事情がある。この点、本実施形態の取付構造の場合には、溶接を行うことなく引っ掛けプレート６を起立片３ａに取り付けられる構造、および、引っ掛けプレート６の凹部６ｃに挟持片８ｃを位置させるようにして自重受け金具８の本体８ｂと引っ掛けプレート６との重なりを回避しうる構造を実現していることもあり、起立片３ａ、引っ掛けプレート６、自重受け金具８の重なりを従来よりも薄くし、室内側への突出量を抑えることが可能である（図４等参照）。
【００４９】
さらに、本実施形態の取付構造では、上述のように溶接を行わずとも引っ掛けプレート６を起立片３ａに取り付けられるようにした構造を実現しているため、鉄骨梁２ａから起立片３ａまでの離間距離（突出量）を抑えやすいという利点もある。すなわち、一般的な壁パネル１の取付構造において、壁パネル１の取り付け工事に先行して、Ｈ形鋼からなる鉄骨梁２ａの外側にフェノールフォーム等の断熱材１２を配置して断熱気密層を構成する場合（図１参照）、または、断熱材１２の上面をその上側に位置する金物（例えば定規アングル３）に両面テープで留め付ける場合（図３参照）、さらには、気密性を保持するため断熱材１２どうしを気密テープで接着する場合などにおいて、断熱材１２の配置との関係上、火気が制限される状況（例えば火気使用部位近傍の断熱材１２が焼損するような状況）が起こりうる。この場合、焼損を免れようとして、鉄骨梁２ａから起立片３ａまでの離間距離（突出量）を増やせば建物にデッドスペースが生じることになり得策でない。この点、本実施形態では溶接を不要としているので、鉄骨梁２ａから起立片３ａまでの離間距離（突出量）を抑えてデッドスペースを極力排除することができるという利点もある。
【００５０】
加えて、本実施形態では、起立片３ａに所定ピッチで形成されている掛止溝３ｂに引っ掛けプレート６の長ボルト６ａを掛止するだけで壁パネル１をその幅方向において正確に位置決めした状態で配置することができるから、躯体２の施工精度を向上させることができる。また、ナット９ａをねじ込むことによって引っ掛けプレート６を起立片３ａに固定できる構造としているため、プレートを起立片に溶接するために従来行っていた作業は上述したように不要である。しかも、掛止溝３ｂに長ボルト６ａを引っ掛けるだけで引っ掛けプレート６ひいては壁パネル１を位置決めすることができるから、溶接時に要求されるような位置決め作業に伴う手間と時間を低減することができる。
【００５１】
なお、本実施形態の引っ掛けプレート６はいわば逆二股形状に形成され、２つのナット９ａと長ボルト６ａにより２点で締め付けられて固定されるようになっている。この場合、同じトルクであっても、引っ掛けプレート６を起立片３ａに固定するためナット（９ａ）を締める場合のほうが、引っ掛けプレート６とアンカー鋼棒（５ａ，５ｂ）を締結するボルト（またはナット）を締める場合よりも締め付け強度が上回ることがある。
【００５２】
なお、上述の実施形態は本発明の好適な実施の一例ではあるがこれに限定されるものではなく本発明の要旨を逸脱しない範囲において種々変形実施可能である。例えば上述した各実施形態では、引っ掛けプレート６や自重受け金具８が取り付けられる起立片を、定規アングル３の一部によって形成したが、もちろんこれに限られることはなく、鉄骨梁（上下梁）２ａの一部を起立させたものであってもよい。要は、本発明における起立片は、自重受け金具（支持金物）８や引っ掛けプレート（掛止部材）６を利用して壁パネル１を鉄骨梁（上下梁）２ａに取り付けるためのものであればよく、当該起立片が鉄骨梁２ａの一部であるか否かを問わない。
【００５３】
また、上述実施形態では、引っ掛けプレート（掛止部材）６の掛止片として、ピン形状である２本の長ボルト６ａを例示したがこれは掛止片の好適な一例に過ぎない。この他、例えば、掛止片を１本のピンで構成し、自重受け金具８の挟持片８ｃをこのピンを両側から挟み込むような二股形状に形成するといったことも可能である。ただし、挟持片８ｃの幅が広すぎると起立片３ａに対する揺動が難しくなる場合もあるので、当該挟持片８ｃの幅は広すぎない範囲で適宜設定されることが好ましい。
【産業上の利用可能性】
【００５４】
本発明は、特に溶接作業に伴う火気が制限される現場での壁パネル１の取付作業を含む建設に適用して好適なものである。
【符号の説明】
【００５５】
１…壁パネル、１ａ…側面、１ｃ…小口面（底面）、１ｄ…小口面、１ｅ…下アンカー孔、１ｆ…上アンカー孔、１ｇ…下アンカーナット孔、１ｈ…上アンカーナット孔、１ｉ…（壁パネル１の）出隅側端面、２…躯体、２ａ…鉄骨梁（上下梁）、３…定規アングル（アングル）、３ａ…（定規アングルの）起立片、３ｂ…掛止溝、４ａ，４ｂ…アンカーナット、５ａ，５ｂ…アンカー鋼棒、６…引っ掛けプレート（掛止部材）、６ａ…（引っ掛けプレートの）長ボルト（掛止片）、６ｂ…透孔、６ｃ…（引っ掛けプレート６の）凹部、７ａ，７ｂ…ボルト、７ｃ…座金，７ｄ…緩み止めプレート、８…自重受け金具（支持金物）、８ａ…載置片、８ｂ…本体、８ｃ…挟持片、８ｄ…透孔、９ａ…ナット、９ｂ…座金、１０ａ…ボルト、１０ｂ…ナット、１１…目地（シール材）、１２…断熱材、１３…継手、１４…柱、Ａ…外壁
【図１】
2010159592.tif 000003
【図２】
2010159592.tif 000004
【図３】
2010159592.tif 000005
【図４】
2010159592.tif 000006